(57)【要約】【課題】扉に別部材を配設することなく、開口部の側縁部と扉との間に指を詰めることを防止することができる扉の指詰め防止構造を提供すること。【解決手段】建造物の出入り口を構成する開口部２に、揺動可能に取り付けた扉１の指詰め防止構造であって、開口部２の戸尻側縁部２１と対向する扉１の戸尻側縁部１１に、開口部２の戸尻側縁部２１と扉１との間に隙間Ｃ１が形成されるように、戸先側に向かって切り込んだ切り欠き部１０Ａを扉１の戸尻側縁に沿って形成する。【選択図】図１
2013170365.tif 000002
【特許請求の範囲】
【請求項１】
建造物の出入り口を構成する開口部に、揺動可能に取り付けた扉の指詰め防止構造において、前記開口部の戸尻側縁部と対向する扉の戸尻側縁部に、前記開口部の戸尻側縁部と扉との間に隙間が形成されるように、戸先側に向かって切り込んだ切り欠き部を扉の戸尻側縁に沿って形成したことを特徴とする扉の指詰め防止構造。
【請求項２】
前記開口部の戸先側縁部と対向する扉の戸先側縁部に、前記開口部の戸先側縁部と扉との間に隙間が形成されるように、戸尻側に向かって切り込んだ切り欠き部を扉の戸先側縁に沿って形成したことを特徴とする請求項１記載の扉の指詰め防止構造。
【請求項３】
前記戸先側縁部の切り欠き部に連続して、戸尻側に向かって切り込んで空間を形成し、該空間に取っ手を配設したことを特徴とする請求項２記載の扉の指詰め防止構造。
【発明の詳細な説明】
【技術分野】
【０００１】
本発明は、扉の指詰め防止構造に関し、特に、建造物の出入り口を構成する開口部に、揺動可能に取り付けられた扉の指詰め防止構造に関するものである。
【背景技術】
【０００２】
従来、ヒンジ（例えば、蝶番やピボットヒンジ）等を介して、開口部に枢設される扉では、開口部の戸尻側縁部と扉との間に指が挟まれやすいため、特に、幼稚園や保育園等では園児が指を挟むことがないように、扉の指詰め防止構造を備えた扉が採用されている（例えば、特許文献１〜２参照）。
【０００３】
この扉の指詰め防止構造は、図７に示すように、扉９を開放したときに、開口部２の戸尻側縁部２１と扉９の戸尻側縁部９１との間の形成される空間Ａに指が入ることがないように、扉９の高さと略同一の高さを有する、複数枚の縦長板をアコーディオン状に屈曲して形成したカバー部材９２の両側縁を、開口部２の戸尻側の縦枠と扉９の表面の戸尻側とに取り付け、扉９を開放したときに形成される空間Ａがカバー部材９２で覆われ、空間Ａへの指の侵入を防ぐことで、指が挟み込まれることを防止するようにしている。
【０００４】
ところで、この扉の指詰め防止構造は、扉９の戸尻側での指詰めの防止を図るだけで、戸先側での指詰めの防止を図ることができず、また、カバー部材９２が必要となり、さらに、この種の部材は、耐久性に乏しいことから、多くの開口部２に扉９を配設する必要がある建造物においては大幅なコストアップになるという問題があった。
【０００５】
また、通常、この種の扉の指詰め防止構造を備えた扉９には、扉９の表面よりも突出した取っ手が配設されるため、特に、幼稚園や保育園、老健施設等においては、子供や老人が取っ手に手や体をぶつけることがあるという問題もあった。
【０００６】
さらに、幼稚園や保育園等で使用する扉では、明かり取り用のガラリや明窓が別途設置される場合が多く、通常の扉と比べてコストが嵩むという問題があった。
【先行技術文献】
【特許文献】
【０００７】
【特許文献１】特開平１０−１８４１８４号公報
【特許文献２】特開２０１０−５９７６２号公報
【発明の概要】
【発明が解決しようとする課題】
【０００８】
本発明は、上記従来の扉の指詰め防止構造の有する問題点に鑑み、扉に別部材を配設することなく、開口部の側縁部と扉との間に指を詰めることを防止することができる扉の指詰め防止構造を提供することを目的とする。
【課題を解決するための手段】
【０００９】
上記目的を達成するため、本発明の扉の指詰め防止構造は、建造物の出入り口を構成する開口部に、揺動可能に取り付けた扉の指詰め防止構造において、前記開口部の戸尻側縁部と対向する扉の戸尻側縁部に、前記開口部の戸尻側縁部と扉との間に隙間が形成されるように、戸先側に向かって切り込んだ切り欠き部を扉の戸尻側縁に沿って形成したことを特徴とする。
【００１０】
この場合において、前記開口部の戸先側縁部と対向する扉の戸先側縁部に、前記開口部の戸先側縁部と扉との間に隙間が形成されるように、戸尻側に向かって切り込んだ切り欠き部を扉の戸先側縁に沿って形成することができる。
【００１１】
また、前記戸先側縁部の切り欠き部に連続して、戸尻側に向かって切り込んで空間を形成し、該空間に取っ手を配設することができる。
【発明の効果】
【００１２】
本発明の扉の指詰め防止構造によれば、開口部の戸尻側縁部と対向する扉の戸尻側縁部に、前記開口部の戸尻側縁部と扉との間に隙間が形成されるように、戸先側に向かって切り込んだ切り欠き部を扉の戸尻側縁に沿って形成することにより、扉の形状を変更するという簡易な方法で、戸尻側の指詰めを防止することができるとともに、カバー部材のような別部材を用いる必要がないため、耐久性にも優れ、安価な扉の指詰め防止構造を提供することができる。
また、扉に切り欠き部を形成することで、切り欠いた部分から室内に明かりが差し込み、別途、扉にガラリや明かり取り用の明窓を設置する必要がなく、大幅なコストダウンを図ることができる。
【００１３】
また、開口部の戸先側縁部と対向する扉の戸先側縁部に、前記開口部の戸先側縁部と扉との間に隙間が形成されるように、戸尻側に向かって切り込んだ切り欠き部を扉の戸先側縁に沿って形成することにより、戸先側においても同様に、扉の形状を変更するという簡易な方法で、指詰めを防止することができるとともに、戸尻側の切り欠き部と同様に、室内への明かり取りの役目を果たすことができる。
【００１４】
また、戸先側縁部の切り欠き部に連続して、戸尻側に向かって切り込んで空間を形成し、該空間に取っ手を配設することにより、取っ手が、扉の表面から突出することがないため、使用者が取っ手に手や体をぶつけることがなく、安全に使用することができるとともに、戸尻側に向かって切り込んだ空間によって、さらに明かり取りの機能を効果的に発揮することができる。
【図面の簡単な説明】
【００１５】
【図１】本発明の扉の指詰め防止構造の一実施例を示す正面図である。
【図２】図１のＸ−Ｘ断面図で、（ａ）は扉の開放状態を、（ｂ）は扉の閉鎖状態を示す。
【図３】図１のＹ−Ｙ断面図である。
【図４】同扉の指詰め防止構造を有する扉を示し、（ａ）は正面図、（ｂ）は左側面図、（ｃ）は右側面図、（ｄ）は平面図、（ｅ）は底面図である。
【図５】同扉の指詰め防止構造を有する扉が取り付けられる開口部（枠材）の正面図である。
【図６】取っ手部分を示す一部切り欠きの斜視図である。
【図７】従来の扉の指詰め防止構造を示す一部切り欠きの断面平面図で、（ａ）は扉の開放状態を、（ｂ）は扉の閉鎖状態を示す。
【発明を実施するための形態】
【００１６】
以下、本発明の扉の指詰め防止構造の実施の形態を、図面に基づいて説明する。
【実施例１】
【００１７】
図１〜図６に、本発明の扉の指詰め防止構造の一実施例を示す。
この扉の指詰め防止構造は、建造物の出入り口を構成する開口部２に、揺動可能に取り付けた扉１の指詰め防止構造であって、開口部２の戸尻側縁部２１と対向する扉１の戸尻側縁部１１に、開口部２の戸尻側縁部２１と扉１との間に隙間Ｃ１が形成されるように、戸先側に向かって切り込んだ切り欠き部１０Ａを扉１の戸尻側縁に沿って形成するようにしている。
【００１８】
また、開口部２の戸先側縁部２２と対向する扉１の戸先側縁部１２に、開口部２の戸先側縁部２２と扉１との間に隙間Ｃ２が形成されるように、戸尻側に向かって切り込んだ切り欠き部１０Ｂを扉１の戸先側縁に沿って形成するようにしている。
【００１９】
この扉１は、開口部２に揺動可能に取り付けられるもので、本実施例においては、開口部を形成するように枠組みされた縦枠２Ａ、２Ｂ及びこの縦枠２Ａ、２Ｂの上端部を連結する上枠２Ｃとからなる枠材のうち、上枠２Ｃと床面Ｆに配設されるピボットと扉１の上面及び下面の戸尻側に配設されるピボットを、枢軸を介して連結するピボットヒンジ４によって取り付けるようにしている。
また、枠材のうち戸尻側の縦枠２Ａと扉１の戸尻側縁部２１とを、蝶番を介して取り付けるようにしても構わない。
【００２０】
そして、扉１の戸尻側縁部１１及び戸先側縁部１２に形成する切り欠き部１０Ａ、１０Ｂは、扉１の上下方向のほぼ全長に亘って形成することもできるが、本実施例においては、子供の手が届く範囲、より具体的には、床面Ｆから１０００〜１４００ｍｍ程度（図示の例では、約１３００ｍｍ）から下方１０〜２０ｍｍ程度（図示の例では、約１０ｍｍ）の範囲に形成するようにしている。
また、切り欠き部１０Ａ、１０Ｂの切り込み深さＤ１、Ｄ２は、２０〜４０ｍｍ程度、好ましくは約３０ｍｍとして、これにより、２０〜４０ｍｍ程度、好ましくは約３０ｍｍ幅の隙間Ｃ１、Ｃ２を開口部２の戸尻側縁部２１と扉１の戸尻側縁部１１との間、及び開口部２の戸先側縁部２２と扉１の戸先側縁部１２との間に、それぞれ形成するようにしている。
この隙間Ｃ１、Ｃ２を形成することで、扉１が閉鎖された状態でも、指が、開口部２の戸尻側縁部２１と扉１の戸尻側縁部１１及び開口部２の戸先側縁部２２と扉１の戸先側縁部１２との間で挟まることがない。
【００２１】
そして、扉１に切り欠き部１０Ａ、１０Ｂを形成することで、切り欠いた部分から室内に明かりが差し込み、別途、扉１に明かり取り用のガラリや明窓を設置する必要がなく、コストダウンを図ることができる。
【００２２】
また、戸先側縁部１２の切り欠き部１０Ｂに連続して、戸尻側に向かって切り込んで空間Ｓを形成し、この空間Ｓに取っ手３を配設することができる。
この空間Ｓは、その切り欠き部１０Ｂからの切り込み深さＤ’を、６０〜８０ｍｍ程度、好ましくは約７０ｍｍとし、高さの方向の幅寸法Ｗを１００〜１４０ｍｍ程度、好ましくは約１２０ｍｍとするとともに、奥の隅部の角を丸め、使用者が取っ手３を操作しやすい空間を形成するようにしている。
これにより、取っ手３が、扉１の表面から突出することないため、使用者が取っ手３に手や体をぶつけることがなく、安全に使用することができる。
また、戸尻側に向かって切り込んだ空間Ｓによって、さらに明かり取りの機能を効果的に発揮することができる。
【００２３】
また、本実施例においては、空間Ｓの形成箇所を、切り欠き部１０Ｂの上端（床面Ｆから約１３００ｍｍの距離）から形成するようにしているが、これに限られるものではなく、例えば、幼稚園や保育園等、扉１の開閉を行う園児にあわせて、切り欠き部１０Ｂの中間辺り（床面Ｆから６００〜７００ｍｍ程度の距離）に、単独又は上端から形成した空間Ｓと連続して、第２の空間及び取っ手（図示省略）を形成することもできる。
【００２４】
ところで、取っ手３は、扉１の表面から突出することがないように、戸尻側に向かって切り込んで空間Ｓの中に配設するように構成すれば、その形状は特に限定されるものではないが、本実施例においては、図２及び図６に示すように、金属製や合成樹脂製の円柱状の棒状体を使用するようにしている。
取っ手３の形状は、円柱状のほか、楕円柱状、角柱状としたり、空間Ｓから突出しない範囲で、棒状体を屈曲させた形状とすることができる。
【００２５】
このように、円柱状の棒状体を取っ手３として使用することで、通常、扉に取っ手とし使用するレバーハンドルと比べ、コストダウンを図ることができるとともに、切り込んだ空間Ｓ内に取っ手３を配設することで意匠上の美観を有する扉１となる。
【００２６】
また、開口部２を形成する枠材の縦枠２Ａ、２Ｂには、図５に示すように、揺動する扉１が当接する戸当たり５が取り付けられる。
この戸当たり５は、扉１の上端側縁部が当接する上枠２Ｃに配設される上部戸当たり５０と縦枠２Ａ、２Ｂに配設される側部戸当たり５１、５２とからなる。
側部戸当たり５１、５２は、扉１の切り欠き部１０Ａ、１０Ｂに対応する箇所には配設することなく、切り欠き部１０Ａ、１０Ｂの明かり取りとしての機能を十分に果たすことができるようにしている。
なお、側部戸当たり５１、５２の厚み寸法を、切り欠き部１０Ａ、１０Ｂの幅寸法（本実施例においては、上述した３０ｍｍ）よりも、戸当たりの機能を発揮する範囲で、十分に小さくなるように設定（例えば、１０ｍｍ前後）している場合には、縦枠２Ａ、２Ｂに沿った、開口部２の高さ寸法全長に亘って配設するようにしても構わない。
【００２７】
また、側部戸当たり５１、５２の端部の形状は、図３及び図５に示すように、丸みをもった形状とすることで、扉１を開放したときの美観を向上させるとともに、開口部２を通過する人の手足が触れても怪我をすることがないようにすることができる。
【００２８】
次に、この扉の指詰め防止構造を採用した扉１を開閉する際の動作を、図２に基づいて説明する。
【００２９】
扉９を開放した状態で、図２（ａ）に示す、開口部２の戸尻側縁部２１に配設する戸当たり５１、５１の間（高さ寸法で、床面Ｆから１００〜１３００ｍｍの間）のポイントＰ１又は戸先側縁部２２に配設する戸当たり５２、５２の間（ポイントＰ１と同様に、高さ寸法で、床面Ｆから１００〜１３００ｍｍの間）のポイントＰ２に使用者の指が置かれていたと仮定する。
【００３０】
そして、扉１を閉鎖したとき、ポイントＰ１及びポイントＰ２は、それぞれ、扉１の戸尻側縁部１１及び戸先側縁部１２に形成した幅が約３０ｍｍの切り欠き部１０Ａ、１０Ｂが位置することとなり、ポイントＰ１及びポイントＰ２の位置は、開口部２の戸尻側縁部２１及び戸先側縁部２２と扉１との隙間Ｃ１及び隙間Ｃ２の位置と一致し、ポイントＰ１又はポイントＰ２に使用者の指が置かれていても、使用者の指は、開口部２の戸尻側縁部２１又は戸先側縁部２２と扉１とによって挟まれることはない。
【００３１】
このように、本発明の扉の指詰め防止構造は、開口部２に対して、扉１以外の部材を配設することなく、扉そのものの形状を見直し、変形するという簡易な方法で、戸尻側のみならず、戸先側の指詰めも有効に防止することが可能となり、コストを大幅に低減することができるとともに、扉の構造が単純化されることから、施工後の不具合が減少し、維持管理費の削減を図ることもできる。
【００３２】
以上、本発明の扉の指詰め防止構造について、実施例に基づいて説明したが、本発明は上記実施例に記載した構成に限定されるものではなく、その趣旨を逸脱しない範囲において適宜その構成を変更することができるものである。
【産業上の利用可能性】
【００３３】
本発明の扉の指詰め防止構造は、扉に別部材を配設することなく、開口部の側縁部と扉の間に指を詰めることを防止することが特性を有していることから、開口部に枢設する扉の指詰め防止構造として、好適に用いることができる。
【符号の説明】
【００３４】
１    扉
１０Ａ  切り欠き部
１０Ｂ  切り欠き部
１１  戸尻側縁部
１２  戸先側縁部
２    開口部
２１  戸尻側縁部
２２  戸先側縁部
３    取っ手
Ｃ１  隙間
Ｃ２  隙間
Ｓ    空間
【図１】
2013170365.tif 000003
【図２】
2013170365.tif 000004
【図３】
2013170365.tif 000005
【図４】
2013170365.tif 000006
【図５】
2013170365.tif 000007
【図６】
2013170365.tif 000008
【図７】
2013170365.tif 000009